(57)【要約】【課題】印画紙の端部に透孔を形成してカットマークやソートマークとする画像位置標示であって、カットマークを形成する一対の穿孔装置を極力均等に使用することにより、穿孔装置のパンチの刃の摩耗により該パンチの交換時期を一対の穿孔装置で同時期に行えるようにする写真焼付装置を提供する。【解決手段】印画紙１の端部に、画像位置を標示するためのカットマークMcとして透孔を穿設する場合に、一方の端部側と他方の端部側とに交互に形成する。この場合、一つずつを交互とする場合、複数個を交互する場合、あるいはフィルムや顧客毎等に交互とする場合があり、長時間の運転にあたっていずれも一対の穿孔装置の使用回数を均等にすることができる。また、対応する件が異なる場合の標示としてソートマークMsを穿設する。【選択図】        図１
2004205752.tif 000002
【特許請求の範囲】
【請求項１】
感光材の幅方向の異なる２カ所のそれぞれに臨ませて穿孔装置を配設し、画像の焼付位置に応じた位置に前記穿孔装置で透孔を穿設し、その穿設位置に応じて、第１マークまたは第２マークとして、感光材における画像の焼付位置の標示を行う写真焼付装置において、
前記一対の穿孔装置のそれぞれにより、感光材のいずれか一方の端部側のみに穿孔して第１マークとし、両方の端部側に穿孔して第２マークとすることを特徴とする写真焼付装置。
【請求項２】
前記一対の穿孔装置のそれぞれにより、前記第１マークを、周期的にまたは非周期的に、前記一方の端部側と他方の端部側への穿設を繰り返すことを特徴とする請求項１または請求項２に記載の写真焼付装置。
【請求項３】
前記第１マークを前記一方の端部側と他方の端部側とに交互に形成することを特徴とする請求項１または請求項２に記載の写真焼付装置。
【請求項４】
前記第１マークを複数個連続させて一方の端部側に形成し、ほぼ同数の第１マークを連続させて他方の端部側に形成することを繰り返すことを特徴とする請求項１または請求項２に記載の写真焼付装置。
【請求項５】
前記第１マークを、先行する件について感光材の一方の端部側に連続して形成し、後続する件について他方の端部側に連続して形成することを特徴とする請求項１または請求項２に記載の写真焼付装置。
【発明の詳細な説明】
【０００１】
【発明の属する技術分野】
この発明は、フィルムやデジタルカメラ等で記録された画像を印画紙等の感光材に焼き付ける写真焼付装置に関し、特に画像を焼き付ける焼付位置を認識させて、該焼付範囲で確実に感光材を裁断できるようにした写真焼付装置に関する。
【０００２】
【従来の技術】
フィルム等に表示されている画像やデジタルカメラ等で記録された電子画像を印画紙に焼き付ける写真焼付装置であって、特に写真店や写真現像店のいわゆるラボに設置されているプリンタプロセッサでは、リールに捲かれた状態で供給された印画紙に、画像を順次焼き付け、現像、定着、水洗、乾燥の各処理過程を経て各コマ毎に裁断されている。また、このプリンタプロセッサでは、複数の顧客に対して、顧客毎のフィルムや電子画像について順次処理を行っており、フィルム毎に、あるいは顧客毎に、即ち件毎に識別する必要が生じる。
【０００３】
また、印画紙を裁断する際には、各コマの境界部分で確実に裁断されなければ焼き付けられた画像が途中で切れてしまって不都合である。特に、近年では、１本のロールフィルムにフルサイズの画像と横長な画面サイズとしたいわゆるパノラマサイズの画像とが混在して撮影されたものがある。このような画像サイズ混在フィルムを用いて焼き付けを行う場合、印画紙に焼き付けられた画像の位置が画像サイズに応じて異なることになる。したがって、焼き付けられた画像のサイズを把握して裁断する必要があり、コマの境界を識別する必要がある。
【０００４】
図５は露光が付与された状態の印画紙１を示す図で、印画紙１に形成されるコマの境界と異なる件の境界を示す従来の画像位置標示を示す図である。印画紙１には、露光を付与されて画像が形成されたコマ３が連続して形成されることになる。このコマ３であって、先行する件の原画に対応する画像についてのものを符号3aで示し、後続する件のものについて符号3bで示し、さらに件のコマの番号n を附してコマ3a22、3a23、3b01、3b02、3b03、……、3bn で示す。また、１本の件の最後のコマを3ae で示してある。前記画像位置標示Ｍは同図に示すように、各コマ３の間であって印画紙１の端部に透孔によって形成されており、一方の端部Ecに形成された画像位置標示ＭがカットマークMcとされ、他方の端部Esに形成されたものがソートマークMsとされている。カットマークMcは各コマ３の間に形成されて、印画紙１に形成すべき画像の範囲を示し、プリンタプロセッサではこのカットマークMcを検出して２つのカットマークMcの間に露光を付与するようにしてある。したがって、このカットマークMcの両側で印画紙を裁断することにより、印画紙１を各コマ３毎に分離させることができる。また、前記ソートマークMsは先行する件の最後のコマ3ae と後続する件の最初のコマ3b01との間に形成されており、反対側の端部Ecには前記カットマークMcも形成されている。プリンタプロセッサでこのソートマークMsが検出されることにより、印画紙１に連続してコマ３が形成されている場合であっても、該ソートマークMsの位置で、件が変更されたことを認識することができる。
【０００５】
これら、件毎の識別や各コマの境界部分を識別して、この境界部分を基準として画像を焼き付け、この境界部分を基準として印画紙を裁断できるようにした焼付位置の標示を行う写真焼付装置として、例えば、特許文献１や特許文献２に記載されたものがある。
【０００６】
特許文献１に記載された写真画像焼付装置は、印画紙に識別情報を、該印画紙に焼き付けられるそれぞれの写真画像に対応するカットマークまたは所定数の写真画像に対応するソートマークを付加する入力手段を用いて入力するようにされたものである。これらカットマークやソートマークによる識別情報は、ホールパンチ型でも焼込み型でも構わない、とされている。
【０００７】
また、特許文献２に記載された写真焼付装置は、ネガフィルムの検定工程でメモリーカードに各画像コマ毎に記録された焼付サイズ情報に基づいて、ネガフィルムに記録された画像コマの焼付サイズに応じた間隔で印画紙にカットマークとしてパンチ孔を順次穿設すると共に１オーダーの区切り毎にソートマークとしてのパンチ孔を穿設し、印画紙の搬送途中でセンサによってカットマークを検出してから焼付サイズに対応する所定量搬送した後に搬送を停止して、カットマークが付与された部位の間の未露光部分が焼付ステージに位置決めされるようにしたものである。
【０００８】
【特許文献１】
特開平０５−３２３４５８号
【特許文献２】
特開平０６−２６６０１７号
【０００９】
【発明が解決しようとする課題】
しかし、特許文献１に記載された写真画像焼付装置と特許文献２に記載された写真焼付装置では、カットマークを印画紙の幅方向の一方の端部にのみ連続して穿設し、ソートマークを他方の端部にのみ穿設しているため、次のような問題が生じるおそれがある。これらカットマークやソートマークが穿孔装置によって穿設されるようにしたものがあり、この種の穿孔装置は、先端に刃が設けられたパンチを押し当てて、さらに加圧して該パンチで印画紙を貫通させるようにしている。この穿孔装置は、カットマーク穿設用のものと、ソートマーク穿設用のものとの一対が設けられている。これらカットマーク用穿孔装置とソートマーク用穿孔装置との動作頻度を比べると、カットマーク用穿孔装置の方がはるかに使用頻度が多い。これは、カットマークがコマの境界部分に穿設されるのに対して、ソートマークが件毎の識別のための穿設されるためで、例えば24枚撮りフィルムを想定した場合には、24：１の比率でカットマーク用穿孔装置が使用される。このため、カットマーク用穿孔装置のパンチの刃の摩耗が激しく、ソートマーク用穿孔装置が十分に使用可能であるにもかかわらず、カットマーク用穿孔装置または該穿孔装置のパンチを交換しなければならないことになる。穿孔装置等の交換のためにはプリンタプロセッサの運転を停止しなければならない。この停止によって焼付処理が停滞してしまうことになり、多量のフィルムの処理を行うラボにとっては、稼働時間が短くなって不都合である。
【００１０】
そこで、この発明は、一対の穿孔装置のパンチの刃をほぼ均等に摩耗させることによって、パンチの交換時期をカットマーク用穿孔装置とソートマーク用穿孔装置でほぼ同時期となるようにし、停止時間を極力短くすることができる写真焼付装置を提供することを目的としている。
【００１１】
【課題を解決するための手段】
前記の目的を達成するための技術的手段として、請求項１の発明に係る写真焼付装置は、感光材の幅方向の異なる２カ所のそれぞれに臨ませて穿孔装置を配設し、画像の焼付位置に応じた位置に前記穿孔装置で透孔を穿設し、その穿設位置に応じて、第１マークまたは第２マークとして、感光材における画像の焼付位置の標示を行う写真焼付装置において、前記一対の穿孔装置のそれぞれにより、感光材のいずれか一方の端部側のみに穿孔して第１マークとし、両方の端部側に穿孔して第２マークとすることを特徴としている。
【００１２】
すなわち、透孔が、感光材の幅方向の端部のうちの一方の端部側にのみ形成されている場合には第１マークとし、両方の端部側に形成されている場合には第２マークとするものである。例えば、第１マークで画像の焼付位置を標示し、これに応じて感光材を裁断するカットマークとし、第２マークで、先行のフィルムと後続のフィルムや異なる顧客毎の境界、即ち件の境を標示し、これに応じてコマ毎に裁断された感光材を仕分けするソートマーク及びカットマークとする。
【００１３】
そして、前記第１マークをいずれか一方の側に偏ることなく、両側に均等となるように穿設することにより、一対の穿孔装置の刃の摩耗をほぼ均等にすることができ、穿孔装置の交換時期をほぼ同時期にして、写真焼付装置の停止時間を極力減じることができる。
【００１４】
また、請求項２の発明に係る写真焼付装置は、前記一対の穿孔装置のそれぞれにより、前記第１マークを、周期的にまたは非周期的に、前記一方の端部側と他方の端部側への穿設を繰り返すことを特徴としている。
【００１５】
前記第１マークを、画像が焼き付けられる画像位置に形成されるものとすると、多数の箇所に形成される。これら第１マークを感光材の幅方向の端部の一方の側に偏ることなく、双方に均等に配されるように形成するから、該第１マークを形成するために前記一対の穿孔装置はいずれもが均等に使用されることになる。したがって、これら穿孔装置のパンチの刃は均等に摩耗することになり、一対の穿孔装置は、同時に交換することができる。なお、前記第２マークは、一対の穿孔装置が同時に使用されて形成される。この第２マークは件の境界を標示するものとしたり、所定数の画像の境界を標示するものとして利用する。
【００１６】
また、請求項３の発明に係る写真焼付装置は、前記第１マークを前記一方の端部側と他方の端部側とに交互に形成することを特徴としている。
【００１７】
いわゆる千鳥状に一つずつ第１マークを形成するようにしたもので、該第１マークを形成するための穿孔装置は交互に使用される。このため、一対の穿孔装置はいずれもそのパンチの刃が均等に摩耗することになる。したがって、一対の穿孔装置は、同時に交換することができる。
【００１８】
また、請求項４の発明に係る写真焼付装置は、前記第１マークを複数個連続させて一方の端部側に形成し、ほぼ同数の第１マークを連続させて他方の端部側に形成することを繰り返すことを特徴としている。
【００１９】
複数ずつの第１マークを、周期的に一方の端部側と他方の端部側とに交互に形成するもので、この場合には、一対の穿孔装置は一定の回数ずつ交互に使用される。このため、一対の穿孔装置はそのパンチの刃が均等に摩耗することになり、これら穿孔装置のパンチの刃は同時に交換することができる。
【００２０】
また、請求項５の発明に係る写真焼付装置は、前記第１マークを、先行する件について感光材の一方の端部側に連続して形成し、後続する件について他方の端部側に連続して形成することを特徴としている。
【００２１】
すなわち、処理すべき１本のフィルムや顧客毎について、即ち件毎に一方の側にのみ第１マークを形成するようにしたものであり、第１マークは非周期的に形成される。ラボでは多数の件を処理すると共に、多種類のフィルムも処理する。例えば、市販されている 135ロールフィルムには24枚撮りや36枚撮り等があり、また全てのコマが撮影されていないフィルムの処理を行う必要もある。このような他種類のフィルムの区別を前記第２マークにより行わせることもできるが、前記第１マークを１本のフィルムについて全て一方の端部側に形成することにより、より確実にフィルムの区別を行わせることができる。この写真焼付装置では、例えば先行フィルムが24枚撮りであり、後続フィルムが36枚撮りである場合には、前記一対の穿孔装置は均等に使用されないことになる。しかし、穿孔装置のパンチの刃が、交換を必要とするまでには長い時間運転されるから、交換時期までにはいずれの穿孔装置の使用回数もほぼ均等になると見なされる。したがって、一方の穿孔装置のパンチの刃について交換時期が到来したときには、他方の穿孔装置についてもパンチの刃の交換時期が到来したとして差し支えない。
【００２２】
【発明の実施の形態】
以下、図示した好ましい実施の形態に基づいて、この発明に係る写真焼付装置を具体的に説明する。
【００２３】
図３に、この発明に係る写真焼付装置を具備したプリンタプロセッサ10の一部の概略構造を示している。このプリンタプロセッサ10は、提供されたネガフィルムやポジフィルムの写真フィルムに記録された写真原画に光を照射し、感光材である印画紙１に露光を付与して焼き付けし、現像と定着、水洗、乾燥処理とを順次行って写真プリントを完成する装置である。印画紙１への露光、焼き付け処理はプリンタ部11で、現像と水洗処理は現像部12で、乾燥は乾燥部13でそれぞれ行われる。
【００２４】
印画紙１はリール21に巻き取られた状態でマガジン22に収容され、このマガジン22ごとプリンタプロセッサ10に提供される。印画紙１は一対の引き出しローラ14a 、14b でマガジン22から引き出され、穿孔装置30を一対のガイドローラ15a 、15b に案内されて通過する。次いで、焼付作業のために必要となる距離を隔てて上下に配された二対のガイドローラ16a 、16b 、17a 、17b に案内されて、これらガイドローラ16、17の間で印画紙１は垂直方向に給送されている。そして、これらガイドローラ16、17の間の露光位置Epで印画紙１に露光が付与されて写真原画が焼き付けられる。
【００２５】
前記ガイドローラ17の下流には印画紙１の裏面、即ち画像が焼き付けられていない面に、フィルムの番号や焼付作業日などプリント作業に関する情報を印字する印字装置24が配されており、印画紙１はガイドローラ18に案内されてこの印字装置24を通過する。このガイドローラ18の下流に第１カッター25が配されており、印画紙１が裁断される。この第１カッター25の下流には、印画紙１をループ状に溜めて、プリンタ部11における走行と、後続する現像部12における走行との走行速度の違いにより印画紙１に不用意な力が加えられないようにする緩衝部19が設けられている。緩衝部19の終端には第２カッター26が設けられており、印画紙１が裁断される。この第２カッター26の下流に現像部12が配され、印画紙１を順次給送させて、現像、定着、水洗処理が行われる。水洗処理された印画紙１は、前記乾燥部13で乾燥処理され、仕上げカッター27で裁断され、ソーター28が備えた複数のトレイ28a に仕分けされて、プリントとして完成して収容される。
【００２６】
前記穿孔装置30は、図４に示すように、走行する印画紙１の両端部のそれぞれに臨んで配されている。この穿孔装置30は図示しない駆動回路によって作動するソレノイド31を備えている。このソレノイド31は、断面ほぼヨ字形のさらに下部に配された脚部との４つの脚部32a 、32b 、32c 、32d を備えたブラケット32の上段の脚部32a に取り付けられている。該ブラケット32の各脚部32a 、32b 、32c 、32d には、それぞれ透孔33a 、33b 、33c 、33d が形成されている。上段の透孔33a にはソレノイド31の出力軸31a が遊挿されており、該出力軸31a の先端部に接続部材31b を介してパンチ34が取り付けられている。このパンチ34は前記透孔33b 、33c 、33d に遊挿可能とされており、ソレノイド31の出力軸31a の動作によってこれら透孔33b 、33c 、33d に摺動可能とされている。パンチ34の一部であって、ブラケット32の中央の上側の脚部32b の下側に位置した部分にフランジ35が嵌着されており、このフランジ35とブラケット32の中央の下側の脚部32c との間に圧縮コイルバネからなる戻しバネ36が遊嵌させてある。パンチ34の先端には凸形状の可動刃34a が形成されており、ブラケット32の下段の脚部32d には該可動刃34a と係脱する固定刃34b が形成されている。そして、印画紙１の端部が、図４に示すように、ブラケット32の前記脚部32c と脚部32d との間を通過するようにしてある。また、ソレノイド31の動作を検出するための検出器37が設けられている。
【００２７】
すなわち、前記穿孔装置30はソレノイド31の作動によってパンチ34が下降し、その先端の可動刃34a とブラケット32の固定刃34b とで印画紙１の端部に透孔を穿設することになる。この透孔を検出するために、前記プリンタプロセッサ10には、各所に検出用センサが配されている。図３に示すように、前記ガイドローラ16a 、16b の上流側には、画像位置の位置決めセンサ41が印画紙１の給送域を挟んで一対配されている。前記印字装置24の上流側には、印字位置の位置決めセンサ42が印画紙１の給送域を挟んで一対配されている。前記第１カッター25の上流側には、裁断位置の位置決めセンサ43が印画紙１の給送域を挟んで一対配されている。前記第２カッター26の上流側には裁断位置の位置決めセンサ44が印画紙１の給送域を挟んで一対配されている。そして、前記仕上げカッター27の上流側には裁断位置の位置決めセンサ45が印画紙１の給送域を挟んで一対配されている。
【００２８】
また、前記ガイドローラ16とガイドローラ17とで挟まれた部分の中央部が露光位置Epとされ、この露光範囲に画像を形成する光を照射するための図示しない露光光学系がプリンタ部11の第３図において左側に配設されている。
【００２９】
以上により構成されたこの発明に係る写真焼付装置の作用を、以下に説明する。
【００３０】
現像処理が施されたフィルムについて、画像に関する情報、例えば、当該フィルムの撮影枚数や、撮影されたコマのそれぞれについて通常サイズかパノラマサイズか等の画像サイズに関する情報が図示しないメモリーに格納され前記ソレノイド31の図示しない駆動回路の制御装置に提供される。
【００３１】
印画紙１は前記引き出しローラ14によって引き出されて、前記穿孔装置30に供される。穿孔装置30では、前記ソレノイド31の作動によって、該ソレノイド31の出力軸31a に取り付けられたパンチ34が下降して印画紙１の一部であって該パンチ34が臨んだ部分に透孔が穿設される。このとき、前記駆動回路が制御装置からの指令に基づいてソレノイド31に通電して出力軸31a を下降させることによりパンチ34が下降し、該パンチ34の先端部に形成された可動刃34a とブラケット32に形成された固定刃34b とが協働し、印画紙１を押し切りして透孔が穿設される。なお、印画紙１は透孔を形成すべき位置が穿孔装置30に臨んだ状態で給送が停止され、順次透孔が形成される。そして、ソレノイド31への通電を解除すると、前記戻しバネ36の復元力を受けてパンチ34が上昇し、パンチ34が透孔33d から抜去されて印画紙１の移動域から退避する。この穿孔装置30によって印画紙１に形成された透孔が、後述するように、一方の穿孔装置30の作動により一端部側にのみへの形成によってコマの境を標示するカットマークMcとなり、双方の穿孔装置30の作動により両端部側への形成によって件毎の境を標示するソートマークMs及びカットマークMcとなる。
【００３２】
前記カットマークMcとソートマークMsが形成された印画紙１は順次給送されて、前記位置決めセンサ41を通過する際には、カットマークMcが検出される。このカットマークMcが検出されると、前記メモリに格納された画像サイズに関する情報に基づいて、印画紙１を該画像サイズに応じた距離まで移動させた状態で停止させる。この停止状態で画像を形成すべきコマ３が露光位置Epに位置するから、露光が付与されて、印画紙１のカットマークMcの間に画像が形成されることになる。なお、印画紙１を停止させないで、順次再生走査を行って画像を形成する場合には、カットマークMcが位置決めセンサ41によって検出された後所定量を給送し、該印画紙１のコマ３が露光位置Epに進入した時点から再生走査が開始されるようにすればよい。
【００３３】
露光が付与されたコマ３が前記位置決めセンサ42を通過すると、カットマークMcが該位置決めセンサ42によって検出されるから、下流側の前記印字装置24によって印画紙１の裏面であって、コマ３に対応した部分にプリントに関する情報が印字される。
【００３４】
裏面への印字が終了して印画紙１が給送され、前記位置決めセンサ43がソートマークMsを検出し、所定距離を印画紙１が給送されると、前記第１カッター25によって該ソートマークMsの前後を裁断する。このソートマークMsは印画紙１の先行の件と後続の件との境界に形成されているから、必要に応じてここで裁断されることにより、件毎に印画紙１が分離されることになる。また、場合によっては、該第１カッター25の部分を通過させて、下流側の位置決めセンサ44がソートマークMsを検出した場合に、第２カッター26が該ソートマークMsの前後を裁断し、あるいは裁断することなく後工程である現像部12に給送する。
【００３５】
先行の件に対応した部分の印画紙１は現像部12に給送されて現像処理が施される。このとき、先行の件の画像に連続して後続の件の画像が印画紙１に形成されていない場合には、印画紙１の露光が付与されていない先端部が、前記第１カッター25の部分に位置した状態になる。このため、後続の件の画像を印画紙１の先端部から形成するのを開始するため、印画紙１を、前記ガイドローラ16、17をそれまでとは逆方向に回転させて、先端部が露光位置Epに位置するよう後退させる。なお、後続の件の画像が印画紙１に既に形成されている場合には、この逆転操作は必要なく、露光動作と裁断動作とを継続させることができる。この後退によって前記位置決めセンサ41によってカットマークMcが検出されると、印画紙１の後退を停止し、再度前進させて、コマ３の部分を露光位置Epに位置させる。そして、前述と同様に、露光位置Epに位置した印画紙１の部分に露光が付与される。これにより、後続のフィルムについて、印画紙１に露光が付与されることになる。
【００３６】
現像部12に給送された先行のフィルムに対応した部分の印画紙１は、給送されながら順次現像、定着、水洗処理が行われる。水洗処理された印画紙１は乾燥部13に給送されて乾燥され、前記位置決めセンサ45を通過する際にカットマークMcが検出される。これにより、前記仕上げカッター27で該カットマークMcの前後を裁断する。カットマークMcの前後で裁断されることにより、印画紙１は各コマ３に分離されると共に、カットマークMcとソートマークMsを標示する透孔が除去されて、プリントが完成する。裁断された各コマ３はソーター28のいずれかのトレイ28a に収容され、１本のフィルム等、件毎についてのプリントとしてまとめられる。
【００３７】
図１は、この発明に係る写真焼付装置の第１の実施形を示すもので、前記穿孔装置30により前記印画紙１に形成されるカットマークMcとソートマークMsの状態を示す該印画紙１の平面図である。また、先行の件に対応する部分3aと後続の件に対応する部分3bとの接合部も示してある。また、印画紙１の幅方向の一方の端部をＥ1 で他方の端部をＥ2 で、それぞれ示してある。図１に示すように、前記穿孔装置30では、印画紙１の端部Ｅ1 とＥ2 とにそれぞれ交互に透孔を穿設してカットマークMcとしてある。このカットマークMcを形成する間隔は、印画紙１に形成されるべき画像のコマの間隔となる。すなわち、フィルムから得られ、前記メモリーに格納された画像に関する情報に基づいて、印画紙１を画像サイズに応じた長さで移動させ、前記ソレノイド31を作動させてカットマークMcを穿設させる。このとき、一対の前記穿孔装置30は交互に作動するようにしてある。したがって、千鳥状に配された該カットマークMcによって挟まれた部分に露光が付与される。また、先行の件に対応した画像を形成する部分と、後続の件に対応した画像を形成する部分の境界においては、前記カットマークMcが形成された側と反対側の端部のいずれにも透孔が形成されて、ソートマークMs及びカットマークMcとされている。すなわち、ソートマークMsは常にカットマークMcと共に存在し、いずれの端部Ｅ1 、Ｅ2 にも透孔が穿設されることになり、一対の穿孔装置30は同時に作動することになる。
【００３８】
この第１実施形態に係る写真焼付装置では、前記位置決めセンサ41〜45が印画紙１のいずれか一方の端部に透孔を検出した場合には該透孔がカットマークMcであることを識別でき、双方の端部に透孔を検出した場合には該透孔がソートマークMs及びカットマークMcであることを識別できる。
【００３９】
また、この第１実施形態に係る写真焼付装置では、カットマークMcを、印画紙１の一方の端部と他方の端部とに一つずつ交互に形成したものについて説明したが、複数ずつを交互に配して形成したものとすることもできる。例えば、二つあるいは三つのカットマークMcを連続させて一方の端部Ｅ1 に形成し、次いで二つあるいは三つのカットマークMcを他方の端部Ｅ2 に形成することもできる。
【００４０】
カットマークMcを、一つずつ交互に、あるいは複数ずつを交互に形成する場合には、印画紙１のそれぞれの端部に臨んで設けられた穿孔装置30は同数の作動回数となる。このため、一方のパンチ34の刃34a 、34b が極端に摩耗することがなく、一対の穿孔装置30は同時に交換することができる。したがって、交換のために写真焼付装置を停止する時間を極力短くすることができる。
【００４１】
次に、図２に示すこの発明に係る写真焼付装置の第２の実施形を説明する。第１の実施形態と同一の部位について同一の符号を附してある。この実施形態では、カットマークMcをフィルム毎や顧客毎、即ち件毎に、印画紙１の異なる側の端部に形成したものである。同図に示すように、印画紙１の、先行の件に対応した画像を形成する部分には一方の端部Ｅ1 にのみカットマークMcを形成し、後続の件に対応した画像を形成する部分には他方の端部Ｅ2 にのみカットマークMcを形成する。また、先行の件に対応した部分と後続の件に対応した部分との境には、いずれの端部Ｅ1 、Ｅ2 にも透孔が穿設されてソートマークMsを標示する。すなわち、この第２実施形態では、件が異なる毎にカットマークMcを形成する端部を交互に異ならせるものである。
【００４２】
例えば、先行のフィルムが24枚撮りで後続のフィルムが36枚撮りの場合、一つの穿孔装置30は動作回数が異なることになり、パンチ34の刃34a 、34b の使用頻度が異なることになる。しかし、露光に供されるフィルムは任意の順序によるから、穿孔装置30の交換を必要とするまでの長時間のうちには一対の穿孔装置30の動作回数はほぼ等しいものとなる。したがって、一方の穿孔装置30のパンチ34の刃34a 、34b が摩耗して交換を要することになった場合には、他方の穿孔装置30のパンチ34の刃34a 、34b も交換を要するのに十分摩耗していることになる。したがって、一対の穿孔装置30を同時に交換しても差し支えなく、写真焼付装置の稼働時間を短くすることがほとんどない。
【００４３】
以上説明した実施形態では、印画紙１に焼き付ける画像の原画をフィルムに形成された写真原画として説明したが、該写真原画から得られたデジタル画像データを基に、レーザー光等で走査露光方式によって画像を印画紙１に焼き付ける形式の写真焼付装置にもこの発明を利用することができる。
【００４４】
【発明の効果】
以上説明したように、この発明の請求項１に係る写真焼付装置によれば、一対の穿孔装置の動作回数をほぼ均等にすることができる。このため、一対の穿孔装置のパンチの刃の摩耗が均等になり、交換時期を同じにすることができる。このため、写真焼付装置の稼働時間を短くしてしまうことを極力防止することができる。
【００４５】
また、請求項２の発明に係る写真焼付装置によれば、画像位置標示のための第１マークを形成する一対の穿孔装置の動作回数をほぼ等しくすることができるので、一対の穿孔装置のパンチの刃などの摩耗が均等になり、交換時期を同じにすることができる。このため、写真焼付装置の稼働時間を短くしてしまうことを極力防止することができる。
【００４６】
また、請求項３の発明に係る写真焼付装置によれば、一対の穿孔装置は交互に使用されることになり、使用回数を等しくすることができる。したがって、一対の穿孔装置は、パンチの刃の摩耗が等しくなり、該一対の穿孔装置についてパンチの刃の交換を同時に行うことができる。このため、写真焼付装置の稼働時間を短くしてしまうことを極力防止することができる。
【００４７】
また、請求項４の発明に係る写真焼付装置によれば、一対の穿孔装置は複数回ずつ交互に使用されることになり、使用回数を等しくすることができる。したがって、一対の穿孔装置は、パンチの刃の摩耗が等しくなり、該一対の穿孔装置についてパンチの刃の交換を同時に行うことができる。このため、写真焼付装置の稼働時間を短くしてしまうことを極力防止することができる。
【００４８】
また、請求項５の発明に係る写真焼付装置によれば、異なるフィルムの境界をより確実に識別することができる。この構成では、フィルムの撮影枚数によって、一対の穿孔装置の使用回数が異なることになるが、パンチの刃の摩耗が進んで交換時期に至るまでの間には、いずれの穿孔装置のパンチの刃もほぼ等しく摩耗することとなり、同時に穿孔装置を交換しても差し支えない。したがって、写真焼付装置の稼働時間を短くしてしまうことを極力防止することができる。
【図面の簡単な説明】
【図１】この発明に係る写真焼付装置により形成された画像位置標示の第１実施形態を説明する図で、印画紙の平面図である。
【図２】この発明に係る写真焼付装置により形成された画像位置標示の第２実施形態を説明する図で、印画紙の平面図である。
【図３】この発明に係る写真焼付装置の概略の構造を説明する構造図である。
【図４】この発明に係る写真焼付装置に用いられる穿孔装置を説明する図である。
【図５】従来の写真焼付装置により形成された画像位置標示を示す図で、図１に相当する図である。
【符号の説明】
Mc  カットマーク
Ms  ソートマーク
１  印画紙
３  コマ
10  プリンタプロセッサ
21  リール
22  マガジン
24  印字装置
25  第１カッター
26  第２カッター
27  仕上げカッター
30  穿孔装置
31  ソレノイド
34  パンチ
41  位置決めセンサ
42  位置決めセンサ
43  位置決めセンサ
44  位置決めセンサ
45  位置決めセンサ
【図１】
2004205752.tif 000003
【図２】
2004205752.tif 000004
【図３】
2004205752.tif 000005
【図４】
2004205752.tif 000006
【図５】
2004205752.tif 000007